【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
第１基板と、
第１基板上に形成された共通電極と、
前記第１基板に対向する第２基板と、
前記第２基板上に形成され、第１ゲートラインと前記第１ゲートラインに隣接する第２ゲートラインを含む複数のゲートラインと、
前記第２基板上に形成され、前記ゲートラインと交差し、第１データラインと第１データラインに隣接する第２データラインを含む複数のデータラインと、
前記第１ゲートライン、第２ゲートライン、第１データライン、及び第２データライン により定義され、Ｖ字形状を有する画素領域と、前記第２基板上に、前記画素領域内で前記第１データラインに隣接して形成され、Ｖ字形状を有する第1電極と、前記第２基板上に前記画素領域内で前記第２データラインに隣接して形成され、Ｖ字形状を有する第２電極と、前記画素領域に形成される画素電極と
前記第1基板と前記第２基板との間に介在された液晶と、
を含むことを特徴とする液晶表示装置。
【請求項２】
前記液晶はネガティブ型の誘電常数異方性を有することを特徴とする請求項１記載の液晶表示装置。
【請求項３】
前記第１電極及び第２電極は前記偏光軸に対して約４５°傾いて形成されることを特徴とする請求項１記載の液晶表示装置。
【請求項４】
前記第１基板は、
前記第１基板上に形成され、前記第１電極及び第２電極をカバーするために前記第１電極の前記第２方向への幅と、前記第２電極の第２方向への幅と、前記第１及び第２電極の間の離隔距離を足した幅と同一な幅とを有する光遮断層と、
前記光遮断層上部に形成される共通電極を含み、
前記共通電極は前記共通電極を部分的に除去して形成され、前記第１電極の折曲された部分で前記第１方向に所定長さだけ延伸された第１開口部と、前記第１開口部の端部から前記第１開口部に対して所定の傾きを有し前記第２方向及び前記第２方向と反対である第３方向に延伸された第２開口部と、前記第２方向に延伸された端部が前記第２電極の方に所定長さだけ延伸された第３開口部とを具備してＹ字形状を有する第３電極領域と、を含むことを特徴とする請求項１記載の液晶表示装置。
【請求項５】
前記画素電極は前記第１電極及び前記第２電極から離隔されることを特徴とする請求項１記載の液晶表示装置。
【請求項６】
前記画素電極が第１電極及び前記第２電極から離隔される間隔は約２乃至３μｍであることを特徴とする請求項５記載の液晶表示装置。
【請求項７】
前記画素電極は前記第１電極及び前記第２電極と部分的にオーバーラップされるように形成されたことを特徴とする請求項１記載の液晶表示装置。
【請求項８】
前記オーバーラップされた幅は約２乃至３μｍであることを特徴とする請求項７記載の液晶表示装置。
【請求項９】
前記第２基板はストレージキャパシター形成用金属パターンをさらに含むことを特徴とする請求項１記載の液晶表示装置。
【請求項１０】
前記金属パターンは前記画素領域の折曲された部分に所定の幅を有するように形成されるかまたは前記第１電極及び前記第２電極の両端部に隣接して形成されることを特徴とする請求項９記載の液晶表示装置。
【請求項１１】
前記データラインと前記第１電極との間の第２間隔及び前記データラインと第２電極との間の第３間隔はそれぞれ約２μｍであることを特徴とする請求項１記載の液晶表示装置。
【請求項１２】
第１基板と、
第１基板上に形成された共通電極と、
前記第１基板に対向する第２基板と、
前記第２基板上に形成され、第１ゲートラインと前記第１ゲートラインに隣接する第２ゲートラインを含む複数のゲートラインと、
前記第２基板上に形成され、前記ゲートラインと交差し、第１データラインと第１データラインに隣接する第２データラインを含む複数のデータラインと、
前記第１ゲートライン、第２ゲートライン、第１データライン、及び第２データラインにより定義され、Ｖ字形状を有する画素領域と、前記第２基板上に前記画素領域内で前記第１データラインに隣接して形成され、Ｖ字形状を有する第１電極と、前記第２基板上に、前記画素領域内で前記第２データラインに隣接して形成され、Ｖ字形状を有する 第２電極と、前記第１電極及び第２電極から離隔されて形成される画素電極とを含む第２基板と、
前記第１基板及び前記第２基板との間に介在された液晶と、
を含むことを特徴とする液晶表示装置。
【請求項１３】
前記液晶はネガティブ型の誘電常数異方性を有する ことを特徴とする請求項１２記載の液晶表示装置。
【請求項１４】
前記第１基板上に形成され、前記第１電極及び前記第２電極をカバーするために前記第１電極の 幅と、前記第２電極の 幅と、前記第１と第２電極との間の離隔距離を足した幅と同一な幅とを有する光遮断層を更に含み、
前記共通電極は前記光遮断層上に形成され、Ｙ字形状を有する開口部を含み、前記開口部は、前記共通電極の一部から前記第１電極の折曲された部分に延伸された第１開口部と、が所定の傾きを有して前記第１開口部の端部から延伸された第２開口部と、前記第２開口部の端部から前記第２電極の方に延伸された第３開口部とを具備することを特徴とする請求項１２記載の液晶表示装置。
【請求項１５】
前記第１電極の折曲された部分から前記第２電極の折曲された部分の方に延伸されるストレージキャパシター形成用金属パターンをさらに含むことを特徴とする請求項１２記載の液晶表示装置。
【請求項１６】
前記画素電極が第１電極及び前記第２電極から離隔された間隔は約２乃至３μｍであることを特徴とする請求項１２記載の液晶表示装置。
【請求項１７】
第１基板と、
第１方向に延伸され、第２方向に配列された複数のゲートライン、前記ゲートラインに交差して形成される複数のデータライン、前記ゲートライン及び前記データラインのうち互いに隣接する２つのゲートライン及びデータラインにより定義され、Ｖ字形状を有する画素領域と、
前記画素領域内で前記画素領域に該当されるデータラインに隣接して形成され、前記画素領域に対応される形状を有し、前記画素領域を部分的に遮断するための第１電極と、前記画素領域内で以前端の画素領域に該当するデータラインに隣接して形成され、前記画素領域と対応する形状を有し、前記画素領域を部分的に遮断するための第２電極と、前記第１電極と前記第２電極とが部分的にオーバーラップされるように形成される画素電極とを含む第２基板と、
前記第１基板と第２基板との間に介在された液晶と、
前記第２基板の下部に位置し、前記第１基板及び前記第２基板に光を提供する光発生装置と、
前記第１基板の上部面と前記第２基板の下部面に形成され、前記光を選択的に透過させるための偏光軸を有する偏光板と、を含むことを特徴とする液晶表示装置。
【請求項１８】
前記液晶はネガティブ型の誘電常数異方性を有し、前記第１電極及び前記第２電極は前記偏光軸に対して約４５°傾いて形成されることを特徴とする請求項１７記載の液晶表示装置。
【請求項１９】
前記第１基板は、
前記第１基板上に形成され、前記第１電極及び前記第２電極をカバーするために前記第１電極の前記第２方向への幅と、前記第２電極の前記第２方向への幅と、前記第１と第２電極との間の離隔距離を足した幅と同一な幅とを有する光遮断層と、
前記光遮断層上部に形成される共通電極を含み、
前記共通電極は前記共通電極が部分的に除去されて形成され、前記第１電極の折曲された部分で前記第１方向に所定長さ分だけ延伸された第１開口部と、前記第１方向に延伸された端部から前記データラインに対して傾いて前記第２方向に延伸された第２開口部と、前記第２方向に延伸された端部が前記第２電極の方に所定長さだけ延伸された第３開口部とを含んでＹ字形状を有する第３電極領域と、を含むことを特徴とする請求項１７記載の液晶表示装置。
【請求項２０】
前記オーバーラップされた幅は約２乃至３μｍであることを特徴とする請求項１７記載の液晶表示装置。
【請求項２１】
第１基板上に形成された第１偏光フィルムと第２基板上に形成された第２偏光フィルムを更に含むことを特徴とする請求項１２記載の液晶表示装置。
【請求項２２】
前記第１電極及び第２電極は、第１偏光フィルムと第２偏光フィルムの偏光軸に対して約４５°に傾くことを特徴とする請求項２１記載の液晶表示装置。
【手続補正２】
【補正対象書類名】明細書
【補正対象項目名】００２０
【補正方法】変更
【補正の内容】
【００２０】
本願第１発明は、第１基板と、第１基板上に形成された共通電極と、前記第１基板に対向する第２基板と、前記第２基板上に形成され、第１ゲートラインと前記第１ゲートラインに隣接する第２ゲートラインを含む複数のゲートラインと、前記第２基板上に形成され、前記ゲートラインと交差し、第１データラインと第１データラインに隣接する第２データラインを含む複数のデータラインと、前記第１ゲートライン、第２ゲートライン、第１データライン、及び第２データラインにより定義され、Ｖ字形状を有する画素領域と、前記第２基板上に、前記画素領域内で前記第１データラインに隣接して形成され、Ｖ字形状を有する第1電極と、前記第２基板上に前記画素領域内で前記第２データラインに隣接して形成され、Ｖ字形状を有する第２電極と、前記画素領域に形成される画素電極と、前記第1基板と前記第２基板との間に介在された液晶と、を含むことを特徴とする液晶表示装置。
本願第２発明は、第１発明において、前記液晶はネガティブ型の誘電常数異方性を有することを特徴とする液晶表示装置を提供する。
本願第３発明は、第１発明において、前記第１電極及び第２電極は前記偏光軸に対して約４５°傾いて形成されることを特徴とする液晶表示装置を提供する。
本願第４発明は、第１発明において、前記第１基板は、前記第１基板上に形成され、前記第１電極及び第２電極をカバーするために前記第１電極の前記第２方向への幅と、前記第２電極の第２方向への幅と、前記第１及び第２電極の間の離隔距離を足した幅と同一な幅とを有する光遮断層と、前記光遮断層上部に形成される共通電極を含み、前記共通電極は前記共通電極を部分的に除去して形成され、前記第１電極の折曲された部分で前記第１方向に所定長さだけ延伸された第１開口部と、前記第１開口部の端部から前記第１開口部に対して所定の傾きを有し前記第２方向及び前記第２方向と反対である第３方向に延伸された第２開口部と、前記第２方向に延伸された端部が前記第２電極の方に所定長さだけ延伸された第３開口部とを具備してＹ字形状を有する第３電極領域と、を含むことを特徴とする液晶表示装置を提供する。
本願第５発明は、第１発明において、前記画素電極は前記第１電極及び前記第２電極から離隔されることを特徴とする液晶表示装置を提供する。
本願第６発明は、第５発明において、前記画素電極が第１電極及び前記第２電極から離隔される間隔は約２乃至３μｍであることを特徴とする液晶表示装置を提供する。
本願第７発明は、第１発明において、前記画素電極は前記第１電極及び前記第２電極と部分的にオーバーラップされるように形成されたことを特徴とする液晶表示装置を提供する。
本願第８発明は、第７発明において、前記オーバーラップされた幅は約２乃至３μｍであることを特徴とする液晶表示装置を提供する。
本願第９発明は、第１発明において、前記第２基板はストレージキャパシター形成用金属パターンをさらに含むことを特徴とする液晶表示装置を提供する。
本願第１０発明は、第９発明において、前記金属パターンは前記画素領域の折曲された部分に所定の幅を有するように形成されるかまたは前記第１電極及び前記第２電極の両端部に隣接して形成されることを特徴とする液晶表示装置を提供する。
本願第１１発明は、第１発明において、前記データラインと前記第１電極との間の第２間隔及び前記データラインと第２電極との間の第３間隔はそれぞれ約２μｍであることを特徴とする液晶表示装置を提供する。
【手続補正３】
【補正対象書類名】明細書
【補正対象項目名】００２１
【補正方法】変更
【補正の内容】
【００２１】
本願第１２発明は、第１基板と、第１基板上に形成された共通電極と、前記第１基板に対向する第２基板と、前記第２基板上に形成され、第１ゲートラインと前記第１ゲートラインに隣接する第２ゲートラインを含む複数のゲートラインと、前記第２基板上に形成され、前記ゲートラインと交差し、第１データラインと第１データラインに隣接する第２データラインを含む複数のデータラインと、 前記第１ゲートライン、第２ゲートライン、第１データライン、及び第２データラインにより定義され、Ｖ字形状を有する画素領域と、前記第２基板上に前記画素領域内で前記第１データラインに隣接して形成され、Ｖ字形状を有する第１電極と、前記第２基板上に、前記画素領域内で前記第２データラインに隣接して形成され、Ｖ字形状を有する 第２電極と、前記第１電極及び第２電極から離隔されて形成される画素電極とを含む第２基板と、前記第１基板及び前記第２基板との間に介在された液晶と、を含むことを特徴とする液晶表示装置を提供する。
本願第１３発明は、第１２発明において、前記液晶はネガティブ型の誘電常数異方性を有する ことを特徴とする液晶表示装置を提供する。
本願第１４発明は、第１２発明において、前記第１基板上に形成され、前記第１電極及び前記第２電極をカバーするために前記第１電極の 幅と、前記第２電極の 幅と、前記第１と第２電極との間の離隔距離を足した幅と同一な幅とを有する光遮断層を更に含み、前記共通電極は前記光遮断層上に形成され、Ｙ字形状を有する開口部を含み、前記開口部は、前記共通電極の一部から前記第１電極の折曲された部分に延伸された第１開口部と、が所定の傾きを有して前記第１開口部の端部から延伸された第２開口部と、前記第２開口部の端部から前記第２電極の方に延伸された第３開口部とを具備することを特徴とする液晶表示装置を提供する。
本願第１５発明は、第１２発明において、前記第１電極の折曲された部分から前記第２電極の折曲された部分の方に延伸されるストレージキャパシター形成用金属パターンをさらに含むことを特徴とする液晶表示装置を提供する。
本願第１６発明は、第１２発明において、前記画素電極が第１電極及び前記第２電極から離隔された間隔は約２乃至３μｍであることを特徴とする液晶表示装置を提供する。
【手続補正４】
【補正対象書類名】明細書
【補正対象項目名】００２２
【補正方法】変更
【補正の内容】
【００２２】
本願第１７発明は、第１基板と、第１方向に延伸され、第２方向に配列された複数のゲートライン、前記ゲートラインに交差して形成される複数のデータライン、前記ゲートライン及び前記データラインのうち互いに隣接する２つのゲートライン及びデータラインにより定義され、Ｖ字形状を有する画素領域と、前記画素領域内で前記画素領域に該当されるデータラインに隣接して形成され、前記画素領域に対応される形状を有し、前記画素領域を部分的に遮断するための第１電極と、前記画素領域内で以前端の画素領域に該当するデータラインに隣接して形成され、前記画素領域と対応する形状を有し、前記画素領域を部分的に遮断するための第２電極と、前記第１電極と前記第２電極とが部分的にオーバーラップされるように形成される画素電極とを含む第２基板と、前記第１基板と第２基板との間に介在された液晶と、前記第２基板の下部に位置し、前記第１基板及び前記第２基板に光を提供する光発生装置と、前記第１基板の上部面と前記第２基板の下部面に形成され、前記光を選択的に透過させるための偏光軸を有する偏光板と、を含むことを特徴とする液晶表示装置を提供する。
本願第１８発明は、第１７発明において、前記液晶はネガティブ型の誘電常数異方性を有し、前記第１電極及び前記第２電極は前記偏光軸に対して約４５°傾いて形成されることを特徴とする液晶表示装置を提供する。
本願第１９発明は、第１７発明において、前記第１基板は、前記第１基板上に形成され、前記第１電極及び前記第２電極をカバーするために前記第１電極の前記第２方向への幅と、前記第２電極の前記第２方向への幅と、前記第１と第２電極との間の離隔距離を足した幅と同一な幅とを有する光遮断層と、前記光遮断層上部に形成される共通電極を含み、前記共通電極は前記共通電極が部分的に除去されて形成され、前記第１電極の折曲された部分で前記第１方向に所定長さ分だけ延伸された第１開口部と、前記第１方向に延伸された端部から前記データラインに対して傾いて前記第２方向に延伸された第２開口部と、前記第２方向に延伸された端部が前記第２電極の方に所定長さだけ延伸された第３開口部とを含んでＹ字形状を有する第３電極領域と、を含むことを特徴とする液晶表示装置を提供する。
【手続補正５】
【補正対象書類名】明細書
【補正対象項目名】００２３
【補正方法】変更
【補正の内容】
【００２３】
本願第２０発明は、第１７発明において、記オーバーラップされた幅は約２乃至３μｍであることを特徴とする液晶表示装置を提供する。
本願第２１発明は、第１２発明において、第１基板上に形成された第１偏光フィルムと第２基板上に形成された第２偏光フィルムを更に含むことを特徴とする液晶表示装置を提供する。
本願第２２発明は、第２１発明において、前記第１電極及び第２電極は、第１偏光フィルムと第２偏光フィルムの偏光軸に対して約４５°に傾くことを特徴とする液晶表示装置を提供する。